(57)【要約】      （修正有）【課題】足場の組立作業を効率的かつ簡便に行うことができる足場板を提供する。【解決手段】足場板２００は、板部材２０２の四隅に、長手方向に向かってフック２０４が設けられており、それらの間に中間フック２０６が設けられている。板部材には、必要に応じて、エンボスないし穴２０８や中間フックを結ぶ補強材（ビーム）２１０が設けられる。足場板の長さＬは、従来と同様、１８００，１５００，１２００，９００，６００ｍｍ，であるが、幅Ｗは７５０もしくは８００ｍｍに設定される。型枠幅９００ｍｍの場合、幅７５０ｍｍの足場板を使用することで、運搬枚数を減らすことができ、更に、幅８００ｍｍの足場板を使用することで、隙間を狭くできる。型枠幅１２００ｍｍの場合も、８００ｍｍの足場板の使用で、隙間を狭くできる。【選択図】図１
0003205641.tif 000002
【実用新案登録請求の範囲】
【請求項１】
仮設用足場の型枠に、長手方向の両端に設けたフックによって取り付けられる足場板であって、幅寸法を800mmもしくは750mmとしたことを特徴とする足場板。
【請求項２】
前記フックの間に、少なくとも一つの中間フックを増設したことを特徴とする請求項１記載の足場板。
【請求項３】
前記足場板の板部材の長手方向もしくは幅方向に、少なくとも一つの補強材を設けたことを特徴とする請求項１又は２記載の足場板。
【考案の詳細な説明】
【技術分野】
【０００１】
本考案は、建築現場で使用する仮設用の足場板に関し、具体的には、足場板の幅の工夫に関するものである。
【背景技術】
【０００２】
建築現場等で使用される仮設用の足場板としては、各種のものが知られている。木製のものもあるが、最近は、アルミ製やスチール製の足場板を鳥居型や梯子型の型枠（枠組）に引っ掛けて固定している。
【０００３】
現状、足場板の寸法としては、長さが1800mm，1500mm，1200mm，900mm，となっており、幅が500mm，250mm，となっている。一方、足場板を掛ける型枠の幅は、1200mm，900mm，600mm，となっている。このため、足場板の幅と型枠の幅が一致しないときは、複数の足場板を並列に設置することになる。
【０００４】
図３には、その様子が示されており、足場板９００は、板部材９０２の長手方向の両端に、フック９０４がそれぞれ設けられている（同図(A)の平面図及び(B)の側面図参照）。また、板部材９０２には、必要に応じてエンボスや穴が設けられる。このような足場板９００は、同図(C)に示すように、型枠１００に設置される。型枠１００は、脚柱１０２，長手方向枠部材１０４，幅方向枠部材１０６を備えており、前記足場板９００のフック９０４は、幅方向枠部材１０６に引っ掛けられている。足場板９００は、作業効率の関係から、同図(D)に示すように２枚ずつ運搬されることが多い。
【０００５】
この場合に、寸法の関係によっては、足場板９００の間もしくは足場板９００と長手方向枠部材１０４との間に隙間が生ずることがある。例えば、型枠１００の幅が1200mmであるとすると、同図(C)に示すように、２枚の幅500mmの足場板９００を並列に型枠１００に設置することになり、幅寸法の関係から200mmの隙間が生ずることになる。
【０００６】
このような隙間を防ぐものとして、下記特許文献１記載の「足場隙間埋めカバー」がある。これは、足場板と略同じ長さの単管と、前記単管の両端に付設した他の単管に掛けるためのフックと、足場板の幅（250mm又は500mm）以下の幅であり前記単管に固定された踏み板部とを有するカバーによって、足場板の間の隙間を埋めるようにしたものである。
【先行技術文献】
【特許文献】
【０００７】
【特許文献１】特開2009-249861号公報
【考案の概要】
【考案が解決しようとする課題】
【０００８】
しかしながら、上述した背景技術では、足場板の他に、別途隙間埋めカバーを用意する必要があり、その運搬や組み立てなど、足場の組立作業や解体作業も煩雑となる。
【０００９】
本考案は、以上のような点に着目したもので、足場の組立や解体の作業を効率的かつ簡便に行うことを、その目的とするものである。
【課題を解決するための手段】
【００１０】
本考案は、仮設用足場の型枠に、長手方向の両端に設けたフックによって取り付けられる足場板であって、幅寸法を800mmもしくは750mmとしたことを特徴とする。主要な形態の一つによれば、前記フックの間に、少なくとも一つの中間フックを増設したことを特徴とする。他の形態によれば、前記足場板の板部材の長手方向もしくは幅方向に、少なくとも一つの補強材を設けたことを特徴とする。本考案の前記及び他の目的，特徴，利点は、以下の詳細な説明及び添付図面から明瞭になろう。
【考案の効果】
【００１１】
本考案によれば、足場板の幅寸法を800mmもしくは750mmとしたので、足場の組立作業や解体作業を効率的かつ簡便に行うことができる。
【図面の簡単な説明】
【００１２】
【図１】本考案の実施例の足場板を示す図である。(A)は平面図，(B)は側面図，(C)は型枠に組み付けた様子を示す斜視図，(D)は運搬時の様子を示す図である。
【図２】本考案の実施例及び従来の足場板を組み立てた足場の例を示す図である。(A)は実施例の場合を示し、(B)は従来の場合を示す。
【図３】従来の足場板の一例を示す図である。(A)は平面図，(B)は側面図，(C)は型枠に組み付けた様子を示す斜視図，(D)は運搬時の様子を示す図である。
【考案を実施するための形態】
【００１３】
以下、本考案を実施するための最良の形態を、実施例に基づいて詳細に説明する。
【実施例１】
【００１４】
最初に、図１及び図２を参照しながら、本考案の実施例１について説明する。図１には、本考案の足場板が示されている。(A)は平面図であり、(B)は側面図である。これらの図において、足場板２００は、板部材２０２の四隅に、長手方向に向かってフック２０４がそれぞれ設けられており、更に、それらフック２０４の間に中間フック２０６が設けられた構造となっている。板部材２０２には、必要に応じて、エンボスないし穴２０８が設けられる。また、必要に応じて、中間フック２０６を結ぶように、補強材（ビーム）２１０が設けられる。足場板２００の長さ（正確には、フック２０４が保持する幅方向枠部材１０６の中心間の距離）Ｌは、上述した背景技術と同様で、長さが1800mm，1500mm，1200mm，900mm，600mm，となっている。しかし、足場板２００の幅Ｗは、750mmもしくは800mmに設定されている。
【００１５】
同図(C)には、型枠１００に足場板２００を設置した様子が示されている。同図において、型枠１００は、従来技術と同様の構造であり、脚柱１０２，長手方向枠部材１０４，幅方向枠部材１０６を備えている。すなわち、長手方向枠部材１０４及び幅方向枠部材１０６によって形成された枠内に足場板２００が取り付けられるようになっており、それを、四隅の脚柱１０２で支える構造となっている。上述した足場板２００のフック２０４，２０６は、幅方向枠部材１０６に引っ掛けられて、枠内に固定される。
【００１６】
本実施例の足場板２００は、以上のように、従来と比較して幅広となっており、１枚当たりの重量も増える。このため、長さにもよるが、従来のように２枚ずつ運搬せず、図１(D)に示すように、１枚ずつ運搬する。
【００１７】
ところで、従来の足場板９００の幅寸法は500mmもしくは250mmであり、本実施例の足場板２００の幅寸法は750mmもしくは800mmとなっている。本考案では、本考案の足場板２００を単独又は複数使用するか、もしくは、従来の足場板９００と組み合わせて使用する。上述したように、型枠１００の幅は、従来と同様で、1200mm，900mm，600mm，となっているので、型枠１００の幅と、足場板２００，９００の組み合わせは、以下の表１のようになる。
【表１】
0003205641.tif 000003
【００１８】
この表に示すように、まず型枠幅600mmの場合は、本考案の足場板２００は幅が大きすぎるので、適用の余地はない。次に、型枠幅900mmの場合、従来であれば、500mmのものと250mmのものを並べて設置することになるが、150mmの隙間ができることになる。これに対し、本考案の足場板２００を使用すると、750mmを使用した場合は同じく150mmの隙間となるが、800mmを使用すると隙間は100mmとなり、従来よりも狭くすることができる。
【００１９】
次に、型枠幅1200mmの場合、従来であれば、500mmを２枚，500mmを１枚と250mmを２枚，もしくは250mmを４枚使用する。実際には、運搬や取付けの作業性から、500mmを２枚使用するが、いずれにおいても、200mmの隙間ができる。これに対し、本考案では、750mmを１枚と250mmを１枚使用するか、800mmを１枚と250mmを１枚使用する。前者の場合の隙間は、従来と同じ200mmであるが、後者の場合、隙間は150mmとなり、従来よりも狭くすることができる。
【００２０】
以上の点をまとめると、
ａ，型枠幅900mmの場合、本考案の幅750mmの足場板を使用することで、運搬する枚数を減らすことができ、更に、本考案の800mmの足場板を使用することで、隙間を狭くできるとともに、運搬する枚数も減らすことができる。
ｂ，型枠幅1200mmの場合は、本考案の800mmの足場板を使用することで、隙間を狭くすることができる。
【００２１】
図２には、型枠１００に足場板２００もしくは９００を組んだ様子が示されている。同図(A)は本実施例の足場板２００を組み込んだ場合であり、同図(B)は従来の足場板９００を組み込んだ場合である。なお、図中型枠１０８は筋交であり、１１０は補強材である。
【００２２】
なお、本考案は、上述した実施例に限定されるものではなく、本考案の要旨を逸脱しない範囲内において種々変更を加えることができる。例えば、以下のものも含まれる。
(1)前記実施例では、足場板２００の両端にフック２０４，２０６を設けたが、フックの個数は、必要に応じて増減してよい。
(2)前記実施例では、補強材２１０を足場板２００の長手方向に入れたが、必要があれば、幅方向に補強材を入れるようにしてもよい。また、補強材の本数や間隔も、適宜設定してよい。補強材には、エンボスなどの補強構造も含まれる。
(3)型枠の構造も各種のものが知られており、いずれにも本考案は適用可能である。また、本考案は、主として建築用の足場に適用されるが、それ以外の足場に使用することを、妨げるものではない。
【産業上の利用可能性】
【００２３】
本考案によれば、足場板の幅寸法を800mmもしくは750mmとしたので、従来と比較して隙間を狭くしたり、運搬の枚数を減らしたりすることができ、足場の組立や解体の作業を効率的かつ簡便に行うことができるので、各種の建築用の足場に好適である。
【符号の説明】
【００２４】
１００：型枠
１０２：脚柱
１０４：長手方向枠部材
１０６：幅方向枠部材
１０８：筋交
１１０：補強材
２００：足場板
２０２：板部材
２０４：フック
２０６：中間フック
２０８：エンボスないし穴
２１０：補強材
９００：足場板
９０２：板部材
９０４：フック
【図１】
0003205641.tif 000004
【図２】
0003205641.tif 000005
【図３】
0003205641.tif 000006